(57)【要約】      （修正有）【課題】強化ダンボールを直角に折り曲げて使用する筒状体、骨組材又はダンボールパレットを提供することである。【解決手段】直角に折り曲げたコーナー部を有する強化ダンボール２で形成される筒状体１０であって、前記コーナー部の形態が、平板状の強化ダンボール２の片側のライナーを残して、前記片側のライナー面に垂直方向で両側にそれぞれ傾斜角度４５°の斜面を形成するようにフルート及び他方の側のライナーを切り落として、角度９０°のＶ字カット部４を形成し、前記Ｖ字カット部４で直角に折り曲げた形態であることを特徴とする強化ダンボール筒状体１０により解決できた。【選択図】図８
2016107996.tif 000002
【特許請求の範囲】
【請求項１】
直角に折り曲げたコーナー部を有する強化ダンボールで形成される筒状体であって、
前記コーナー部の形態が、平板状の強化ダンボールの片側のライナーを残して、前記片側のライナー面に垂直方向で両側にそれぞれ傾斜角度４５°の斜面を形成するようにフルート及び他方の側のライナーを切り落として、角度９０°のＶ字カット部を形成し、前記Ｖ字カット部で直角に折り曲げた形態であることを特徴とする強化ダンボール筒状体。
【請求項２】
ダンボールからなる骨組材が、シート状ダンボール、平板状の積層ダンボール又は平板状の強化ダンボールを複数枚積み重ねた柱状体の外周面を、請求項１に記載の前記強化ダンボール筒状体で包囲した形態であることを特徴とするダンボール骨組材。
【請求項３】
パレットとしての前後方向の長さを有する、請求項２に記載の前記ダンボール骨組材と、
パレットとしての横幅を有する強化ダンボールが１枚からなる第一の形態の天板、パレットとしての横幅を有する強化ダンボールを数枚積み重ねた第二の形態の天板、又は、パレットとしての横幅を有する強化ダンボールを、パレットとしての前後方向の長さで折り曲げて、下側の略中央部で前記折り曲げた強化ダンボールの両端部を突き合わせるようにした２層からなる第三の形態の天板、を備え、
前記天板の底面に、前記ダンボール骨組材を、パレットとしての前後方向に、運搬車両用の挿入用開口部が確保可能に貼設したことを特徴とするダンボールパレット。
【発明の詳細な説明】
【技術分野】
【０００１】
本発明は、ダンボールを収容箱、仕切り等の壁面として使用できる強化ダンボール筒状体、その強化ダンボール筒状体を構成要素として使用するダンボール骨組材、及び、そのダンボール骨組材を構成要素として使用するダンボールパレットに関する。
【背景技術】
【０００２】
ダンボール桁材及びこれを備えたダンボールパレットとしては、特許文献１に、天板と桁材とを有するダンボールパレットにおいて、ダンボールシートの表裏の平板の端部間に、該ダンボールシートの段目と直角方向に所定の間隔で片面切り込み部を設け、該ダンボールシートを前記片面切り込み部分で蛇腹状に折り畳んで折り畳み面を設けた桁材を設けて、少なくとも２ 個の前記桁材を、前記折り畳み面を水平にして、天板の下部に平行に取り付けたダンボールパレットが開示されている。
【先行技術文献】
【特許文献】
【０００３】
【特許文献１】特開２００５−３０６４６５号公報
【発明の概要】
【発明が解決しようとする課題】
【０００４】
特許文献１に記載の発明は、特許文献１の段落［０００８］の「桁材用のダンボールシートの貼り合わせ工程を設けない」ことから、ダンボールシートを切込み部分で蛇腹状に折り畳んで積層して柱状に作った桁材が、天板に張り付ける側には接着剤を塗布するが、他方の面は特許文献１の図７に示すように折り曲げたままであるので、折り畳んだ積層部分が離隔し柱状の形態が崩れやすく、桁材としての剛性が確保しにくいという問題があった。
【０００５】
また、特許文献１の段落［００１５］や図５に示すように、ダンボールシートの積層された部位であって、波状の形状が断面に現れる部位を天板に接着剤等で貼り付けるため、孔が形成されているので、天板と波状の断面との接着面積が十分に確保しにくいため、荷の重量による圧縮方向の負荷やリフトカーによる荷揚げ作業や荷卸し作業で搖動方向の負荷が加わったときに、桁材の接着部位が天板から剥離しやすいという問題があった。
【０００６】
そこで、本発明の目的は、パレットの桁材や脚立の脚等の骨組材としての剛性を有するダンボール骨組材を提供でき、前記ダンボール骨組材を備えたダンボールパレットを提供することである。
【課題を解決するための手段】
【０００７】
本発明において、前後方向とは、パレットの場合において、リフトカーの爪が挿入される方向を意味する。
【０００８】
上記の課題を解決するために、請求項１に記載の強化ダンボール筒状体１０は、直角に折り曲げたコーナー部を有する強化ダンボール２で形成される筒状体１０であって、前記コーナー部の形態が、平板状の強化ダンボール２の片側のライナー５を残して、前記片側のライナー５面に垂直方向で両側にそれぞれ傾斜角度４５°の斜面を形成するようにフルート６及び他方の側のライナー７を切り落として、角度９０°のＶ字カット部４を形成し、前記Ｖ字カット部４で直角に折り曲げた形態であることを特徴とする。
【０００９】
請求項２に記載のダンボール骨組材１は、ダンボールからなる骨組材が、シート状ダンボール９、平板状の積層ダンボール又は平板状の強化ダンボールを複数枚積み重ねた柱状体の外周面を、請求項１に記載の前記強化ダンボール筒状体１０で包囲した形態であることを特徴とする。
【００１０】
請求項３に記載のダンボールパレット３は、パレットとしての前後方向の長さを有する、請求項２に記載の前記ダンボール骨組材１と、パレットとしての横幅を有する強化ダンボール２が１枚からなる第一の形態の天板８ｂ、パレットとしての横幅を有する強化ダンボール２を数枚積み重ねた第二の形態の天板８ｂ、又は、パレットとしての横幅を有する強化ダンボール２を、パレットとしての前後方向の長さで折り曲げて、下側の略中央部で前記折り曲げた強化ダンボール２の両端部を突き合わせるようにした２層からなる第三の形態の天板８ａ、を備え、前記天板８ａ又は８ｂの底面に、前記ダンボール骨組材１を、パレットとしての前後方向に、運搬車両用の挿入用開口部が確保可能に貼設したことを特徴とする。
【発明の効果】
【００１１】
請求項１に記載の強化ダンボール筒状体１０は、例えば３層の強化ダンボール２を直角に折り曲げても、折り曲げ部において弾発力を生じさせず、且つ４５°同士の傾斜面を密着させて接合させているので、直角に折り曲げにくい、厚みを有し積層構造の強化ダンボール２の折り曲げ部をしっかりと直角に折り曲げることができ、折り曲げ部を強固に維持できるという効果を奏する。
【００１２】
厚みを有し積層構造の強化ダンボール２を直角に折り曲げて、前記折り曲げ部を強固に維持できるので、折り曲げて４面を有する筒状体を造ることができ、この筒状体に底板を設けて、例えば整理棚、収容箱、本箱等の箱や棚の構成要素として使用することができる。木製や鉄製の箱や棚に比較して、軽くて、リサイクル性に富む箱や棚を造ることができる。
【００１３】
請求項２に記載のダンボール骨組材１は、積層されたダンボール９からなる柱状体を、折り曲げ部が強固な強化ダンボール２で筒状にしっかりと包囲して造るので、ダンボール骨組材１は、圧縮方向の外力又はせん断方向の外力に対して極めて折れにくいという効果を奏する。よって、桁材、脚、柱として極めて剛性が高いダンボール骨組材１を造ることができるという効果を奏する。
【００１４】
ダンボール骨組材１の強化ダンボール２の柱状体の４面の包囲形態は、前記柱状体の４面を１枚の強化ダンボール２で包囲する、又は前記柱状体の４面を２枚の強化ダンボール２ａ、２ｂで包囲する形態がある。さらに、強化ダンボール２、２ａ又は２ｂの端部の突合せ個所を、直角に折り曲げた角部にするか、両角部間の辺部にするかの形態がある。強度、製造コスト、又は、水侵入対策の必要性の有無によってこれらの形態を選択することができ、桁材や脚などの使用対象に適する構造を選択することができる。
【００１５】
請求項３に記載のダンボールパレット３は、天板８の面と、ダンボール骨組材１の包囲している面とを接着剤で貼設させることになるので、ダンボールの端部の層を成している部分と天板８とを接着させる場合に比較し、接着面積を十分に確保でき、荷の重量による圧縮方向の負荷やリフトカーによる荷揚げ作業や荷卸し作業で搖動方向の負荷が加わったときに、桁材の接着部位が天板８から剥離しにくいという効果を奏する。
【００１６】
天板８の形態を、１枚のシート状の強化ダンボール３の形態の天板８、２枚のシート状の強化ダンボール３の形態の天板８、又は、１枚の強化ダンボール３を折り曲げて２層構造にし、両端部の突合せ個所を裏面側の中央部とする形態の天板８がある。よって、それぞれ耐荷重の大きさが異なり、Ｖ字カット部４の製造コストが異なるので、荷の重量に応じて天板８の形態を選択することができる。
【図面の簡単な説明】
【００１７】
【図１】本発明のダンボール骨組材を包囲する強化ダンボールにＶ字カット部を３か所設けた場合の斜視図である。
【図２】図１のＡ矢視からみたＶ字カット部の説明図である。
【図３】本発明のダンボール骨組材を包囲する強化ダンボールにＶ字カット部を１か所設けた場合の斜視図である。
【図４】図３のＢ矢視からみたＶ字カット部の説明図である。
【図５】Ｖ字カット部の説明図である。
【図６】未加工状態の強化ダンボールの斜視図である。
【図７】強化ダンボールに３本の折り曲げ用の折れ目を造り折り曲げた場合の説明図で、（ａ）が切れ目を入れた斜視図で、（ｂ）が折り曲げた斜視図で、（ｃ）が（ｂ）のＣ矢視からみた強化ダンボールが直角に折れ曲がりにくい状態を示す斜視図である。
【図８】強化ダンボールを直角に折り曲げて筒状体を造った斜視図である。
【図９】図８のＤ−Ｄ断面図である。
【図１０】ライナーに垂直方向の断面が略四角枠状の形態の強化ダンボールを使用したダンボール骨組材の説明図で、（ａ）がダンボール骨組材の斜視図で、（ｂ）が（ａ）のＥ矢視からみたダンボール骨組材の説明図である。
【図１１】ライナーに垂直方向の断面が略Ｌ字状の形態の強化ダンボールを使用したダンボール骨組材の説明図で、（ａ）がダンボール骨組材の斜視図で、（ｂ）が（ａ）のＦ矢視からみたダンボール骨組材の説明図である。
【図１２】ダンボール骨組材の断面図で、（ａ）が１枚の強化ダンボールを折り曲げて上側の辺の中央で端部を突きあわせた形態の図で、（ｂ）が２枚の強化ダンボールを折り曲げて左右の辺の中央でそれぞれの端部を突きあわせた形態の図である。
【図１３】本発明のダンボールパレットの斜視図である。
【図１４】図１３のＧ矢視からみた天板の説明図である。
【図１５】図１３のダンボールパレットの裏面からみた斜視図である。
【図１６】２枚のシート状の強化ダンボールを積み重ねた形態の天板を使用したダンボールパレットの斜視図である。
【発明を実施するための形態】
【００１８】
本発明である強化ダンボール筒状体１０は、図８又は図９に示すように、直角に折り曲げたコーナー部を有する強化ダンボール２で形成される筒状体１０である。そして、図１や図５に示すように、前記コーナー部の形態が、平板状の強化ダンボール２の片側のライナー５を残して、前記片側のライナー５面に垂直方向で両側にそれぞれ傾斜角度４５°の斜面を形成するようにフルート６及び他方の側のライナー７を切り落として、角度９０°のＶ字カット部４を形成し、前記Ｖ字カット部４で直角に折り曲げた形態である。そして、図８又は図９に示すように端部はボルト等の締結具１１で固定される。
【００１９】
次に、Ｖ字カット部４について説明する。図５に示すように、Ｖ字カット部４は、４５°ずつカットしているので、ここを折り曲げたら直角に折り曲り、カットされた斜面同士が対向する形で斜面全域が接することから、直角に折れ曲げたら斜面同士が極めて強く互いに押し合い、外力によっても直角に折れ曲がった形態が崩れにくくなる。したがって、整理棚、収容箱、本箱等の箱や棚の構成要素、展示会のブースの仕切り、又は、避難所の避難者のプライベート空間確保用仕切りとして使用することができる。
【００２０】
次に、強化ダンボール２にＶ字カット部４を設けた形態は、図１又は図２に示すように３か所、あるいは、図３又は図４に示すように１か所に設けた形態がある。Ｖ字カット部４を３か所設けた場合は、１枚の強化ダンボールで断面形状が４辺からなる筒状体１０を造ることができ、Ｖ字カット部４を１か所設けた場合は、２枚の強化ダンボールで断面形状が４辺からなる筒状体１０を造ることができ、
【００２１】
図２、図４又は図５に示すように、４５°ずつカットして９０°のＶ字カット部４を形成すると、フルート６が３層からなる形態であっても、図１０に示すように直角にしっかりと折り曲げることが容易にでき、かつ直角に折り曲げた状態を容易に保持することができる。
【００２２】
次に、比較例として、図６に示すような平板状の３層からなる強化ダンボール２にＶ字カット部４を設けないで折り曲げた場合について説明する。まず、図７（ａ）に示すように、強化ダンボール２の折り曲げる個所に折れ目３０を入れる。次に、前記折れ目３０に沿って強化ダンボール２を折り込む。しかし、強化ダンボール２の弾発力が強いので、図７（ｂ）又は（ｃ）に示すように折れ目３０で直角に折れ曲がれにくく、図１０に示すような積層させたダンボール９の柱状体を、柱状体の外周面に沿って包囲することは極めて困難である。
【００２３】
次に、ダンボール骨組材１について説明する。まず、図１０（ａ）及び（ｂ）に示すように、ダンボール骨組材１は、平板状のダンボール９を積層させて柱状体を造り、前記柱状体の外周面の４面を強化ダンボール２で包囲している。強化ダンボール２の両端の突合せ部が部位ａであり、強化ダンボール２の面とダンボール９とは部位ｂ１、ｂ２、ｂ３及びｂ４の全面で、面という広い範囲で、接着剤で固着させている。このため、ダンボール骨組材１は極めて強固な剛性を有する。この強化ダンボール筒状体の形態は、１枚の強化ダンボールに３か所のＶ字カット部４を形成する形態Ａであり、少し製造コストが高くてもある程度の剛性を要求される場合に適する。
【００２４】
強化ダンボール筒状体に包囲されるダンボール９としては、シート状のダンボール、積層ダンボール、又は、強化ダンボールがある。
【００２５】
次に、ダンボール骨組材１は、図１１に示すように、強化ダンボール筒状体の形態が、強化ダンボール２ａ又は２ｂの折り曲げ箇所が１か所で２面からなる、ライナー５に垂直方向の断面が略Ｌ字状の形態を２つ組み合わせた形態Ｂがある。図１１（ａ）及び（ｂ）に示すように、平板状のダンボール９を積層させて柱状体を造り、前記柱状体の外周面の４面を２つの強化ダンボール２ａ及び２ｂで包囲している。強化ダンボール２ａと２ｂの突合せ部が部位ｃ及び部位ｄであり、強化ダンボール２ａ又は２ｂの面とダンボール９とは部位ｅ１、ｅ２、ｆ１及びｆ２の全面で、面という広い範囲で、接着剤で固着させている。このため、ダンボール骨組材１は極めて強固な剛性を有する。また、強化ダンボール２ａ又は２ｂはＶ字カット部４がそれぞれ１か所であるのでＶ字カット部４の加工が極めて容易になる。この形態の場合は、コスト的には他の形態より安価化できるが、剛性が比較的に弱く、底面近傍に接合部がくるので、剛性をあまり必要とせず、水気があまりない個所での使用に適する。
【００２６】
次に、ダンボール骨組材１は、図１２（ｂ）に示すように、平板状のダンボール９を積層させて柱状体を造り、前記柱状体を強化ダンボール筒状体が包囲する形態Ｃがある。この強化ダンボール筒状体の形態が、２つの強化ダンボールからなり、それぞれＶ字カット部４が２か所で折り曲げ箇所が２か所の３面からなる、ライナー５に垂直方向の断面が略コ字状の形態がある。この場合には、２つの強化ダンボール２を上下方向で対向させた状態で、平板状のダンボール９を積層させた柱状体の外周面の４面を２つの強化ダンボール２で包囲している。この形態の場合は、Ｖ字カット部４の生産性がやや劣るが、底部に強化ダンボール２の端部がこないので水気が侵入しにくく、剛性を有する。
【００２７】
次に、図１２（ａ）に示すように、平板状のダンボール９を積層させて柱状体を造り、前記柱状体を強化ダンボール筒状体が包囲する形態Ｄがある。この強化ダンボール筒状体の形態が、１つの強化ダンボールからなり、Ｖ字カット部４が４か所で、折り曲げ箇所が４か所あり、上部の辺の中央部に突合せ部２１を設けた形態である。この形態の場合は、Ｖ字カットの加工がコスト高になるが、剛性は最も強く、例えば約１００ｍｍ角の場合には荷の重量が２〜３トン使用時に適する。
【００２８】
ダンボール骨組材１の強化ダンボール筒状体の形態は、形態Ａ、形態Ｂ、形態Ｃ及び形態Ｄに限られず、柱状体を包囲する形態であればよい。
【００２９】
ダンボール骨組材１は、剛性を有する柱状体であるので、ダンボールパレット３の桁材、脚立の脚、ベットの脚、机の脚、スキットの滑材などの部材として使用できる。
【００３０】
次に、図１３に示すように、荷を積載するダンボールパレット３について説明する。ダンボールパレットは、荷を積む天板８と、天板８を支える桁材とを備える。そして、天板８の形態として、図１６に示すように１枚のシート状の強化ダンボール２を２枚積み重ねた第一の形態、１枚のシート状の強化ダンボール２を１枚からなる第二の形態、又は、図１３乃至図１５に示すように１枚のシート状の強化ダンボールを折り返して２層構造にした第三の形態がある。天板の形態は、第一の形態乃至第三の形態に限られず、荷を積載できる板状を形成する形態であればいかなる形態でもよい。
【００３１】
まず、第三の形態の天板８を使用した場合について説明する。第三の形態の天板８は、図１３、図１４及び図１５に示すように、パレットとしての横幅を有する強化ダンボール２を、パレットとしての前後方向の長さで折り曲げて、下側の略中央部で前記折り曲げた強化ダンボール２の両端部を突き合わせるようにした２層からなる形態を有する。そして、ダンボールパレット３は、パレットとしての前後方向の長さを有する前記ダンボール骨組材１と、前記天板８とを備え、前記天板８の下面に、前記ダンボール骨組材１を、パレットとしての前後方向に、運搬車両用の挿入用開口部が確保可能に接着剤で貼設する。
【００３２】
ダンボール骨組材１を、リフトカーや電動車などの荷を昇降させる爪を備えた運搬車両の爪が天板８の下方に挿入可能に左右の間隔を確保して、天板８の前後方向に接着剤で貼設する。図１３で説明すると、左右のダンボール骨組材１間に運搬車両の爪が挿入される。前記貼設部位が、天板８の平板の面と強化ダンボール２の柱状の面とを接着剤で貼設するため、荷の重量による圧縮方向の負荷やリフトカーによる荷揚げ作業や荷卸し作業で搖動方向の負荷が加わったときに、桁材の接着部位が天板８から剥離しにくい。
【００３３】
また、天板８の前後端の折り曲げ部位を、リフトカー等の運搬車両の爪の挿入方向に配置することによって、前記爪が天板８に当たっても天板８の折り曲げ部に前記爪が引っ掛かることが生じにくいことから、天板８が損害を被りにくい。
【００３４】
次に、天板８の形態として、図１６に示すように１枚のシート状の強化ダンボール２を２枚積み重ねた第一の形態、又は、図示していないが、１枚のシート状の強化ダンボール２を１枚からなる第二の形態がある。前記１枚からなる第二の形態の天板８の場合は、荷の重量が軽量である場合に剛性面及びコスト面から適し、前記折り曲げて２層構造にした第三の形態の天板８の場合は、剛性が極めて高まるので荷の重量が重い場合に剛性上から適し、前記２枚の積み重ねからなる第一の形態の天板の場合は、荷の重量が第二の形態の場合と第三の形態の場合の中間の荷を取り扱う場合に適する。
【符号の説明】
【００３５】
１        ダンボール骨組材
２        強化ダンボール
２ａ      強化ダンボール
２ｂ      強化ダンボール
３        ダンボールパレット
４        Ｖ字カット部
５        ライナー
６        フルート
７        ライナー
８ａ      天板
８ｂ      天板
９        ダンボール
１０      強化ダンボール筒状体
１１      締結具
２０      突合せ部
２１      突合せ部
３０      折れ目
【図１】
2016107996.tif 000003
【図２】
2016107996.tif 000004
【図３】
2016107996.tif 000005
【図４】
2016107996.tif 000006
【図５】
2016107996.tif 000007
【図６】
2016107996.tif 000008
【図７】
2016107996.tif 000009
【図８】
2016107996.tif 000010
【図９】
2016107996.tif 000011
【図１０】
2016107996.tif 000012
【図１１】
2016107996.tif 000013
【図１２】
2016107996.tif 000014
【図１３】
2016107996.tif 000015
【図１４】
2016107996.tif 000016
【図１５】
2016107996.tif 000017
【図１６】
2016107996.tif 000018